(57)【要約】【課題】無線電波の減衰を防止し、移動する煩雑さや混乱をなくして確実に洗滌消毒に関する情報を得ることが可能な内視鏡洗滌消毒装置を実現する。【解決手段】内視鏡洗滌消毒装置１は、内視鏡１０を収納配置する槽部として洗滌消毒槽２０を備えた装置本体２と、装置本体２に対して開閉可能に設け、洗滌消毒槽２０を覆う蓋部としてのトップカバー３と、装置本体２を使用する使用者に関する使用者情報を記録する使用者情報記録部としての使用者ＩＤタグ８３、及び内視鏡１０に取り付けてこの内視鏡１０に関する内視鏡情報を記録する内視鏡情報記録部としてのスコープＩＤタグ８２に対して通信可能に、トップカバー３に覆われない装置本体２の所望の部位として装置本体２の上面左側に配設した送受信部としての無線ＩＤ送受信部８１と、を具備して構成されている。【選択図】図５
2006230491.tif 000002
【特許請求の範囲】
【請求項１】
内視鏡を収納配置する槽部を備えた装置本体と、
前記装置本体に対して開閉可能に設け、前記槽部を覆う蓋部と、
前記装置本体を使用する使用者に関する使用者情報を記録する使用者情報記録部、及び前記内視鏡に取り付けてこの内視鏡に関する内視鏡情報を記録する内視鏡情報記録部に対して通信可能に、前記蓋部またはこの蓋部に覆われない前記装置本体の所望の部位に配設した送受信部と、
を具備したことを特徴とする内視鏡洗滌消毒装置。
【請求項２】
前記使用者情報記録部を取り付ける取り付け部を前記蓋部またはこの蓋部に覆われない前記装置本体の所望の部位に設けたことを特徴とする請求項１に記載の内視鏡洗滌消毒装置。
【請求項３】
前記送受信部を介して得た前記使用者情報記録部からの使用者情報と、前記内視鏡情報記録部からの内視鏡情報と、前記内視鏡の洗滌消毒情報と、を関連付けて記憶する記憶部を設けたことを特徴とする請求項１に記載の内視鏡洗滌消毒装置。
【発明の詳細な説明】
【技術分野】
【０００１】
本発明は、内視鏡を洗滌消毒する内視鏡洗滌消毒装置に関する。
【背景技術】
【０００２】
近年、内視鏡は、医療分野等において広く用いられるようになった。医療用に用いられる内視鏡は、患者の体腔内の検査や治療の目的に使用される。  
このような医療用の内視鏡は、体腔内に挿入される挿入部の外表面だけでなく、送気送水チャンネル、副送水／鉗子起上用チャンネル等の内視鏡管路内にも汚物が付着する。そのため、使用済みの内視鏡は、外表面に限らず、必ず各管路内までも洗滌、消毒する必要がある。
【０００３】
このため、従来では、内視鏡の外表面に限らず、内視鏡管路内までも洗滌消毒する内視鏡洗滌消毒装置がある。この内視鏡洗滌消毒装置は、使用済みの内視鏡を槽部に収納配置し、その槽部に洗滌液または消毒液を満たして内視鏡を洗滌消毒するようになっている。  
ところで、近年、診察や治療後の内視鏡を次の患者に対して再使用する際に行われるリプロセスにおいては、トレーサビリティ(来歴管理)が注目されている。そのため、各医療施設では、内視鏡の洗滌消毒が行われたことを確実に記録として残すといったニーズが高まっている。
【０００４】
記録を残す方法としては、手書き（手入力）、無線等の手段があるが、最近の病院施設では、看護師やオペレータの負担を軽減化するために無線方式を採用する病院施設が増えてきている。このため、例えば、特開２００２−２３８８４７号公報には、無線通信により洗滌消毒に関する情報として内視鏡情報や洗滌消毒情報を得る内視鏡洗滌消毒装置が提案されている。  
上記公報に記載の内視鏡洗滌消毒装置は、内視鏡と電気的に接続する防水キャップにＲＦＩＤ（ Radio Frequency IDentification ：電波方式認識）タグを内蔵させ、この防水キャップを取り付けた内視鏡を槽部に収納配置した後、この槽部内に設けたＲＦＩＤ送受信部を作動させ、無線通信により洗滌消毒に関する情報、例えば型名、製造番号等の内視鏡情報や洗滌時間、消毒時間、実施完了日等の洗滌消毒情報を得るようになっている。
【特許文献１】特開２００２−２３８８４７号公報
【発明の開示】
【発明が解決しようとする課題】
【０００５】
一般に、内視鏡洗滌消毒装置は、強度確保のために上記内視鏡を収納配置する槽部をステンレスにより形成している。また、ＲＦＩＤ等の無線電波は、ステンレスや水のある所では減衰してしまう性質がある。  
このような従来の内視鏡洗滌消毒装置は、上記槽部にＲＦＩＤタグと通信するＲＦＩＤ送受信部を設けていると、ＲＦＩＤ等の無線電波が減衰してしまい、洗滌消毒に関する情報を得ることが困難になってしまう。
【０００６】
一方、これに対して、従来では、内視鏡の汚れが付着することや洗滌消毒時に使用する水や薬液等が上記槽部外部に掛かることを防止する目的のために、上記ＲＦＩＤ送受信部を別体で構成した内視鏡洗滌消毒装置がある。この場合、上記内視鏡洗滌消毒装置は、洗滌消毒を行うための作業領域から上記ＲＦＩＤ送受信部が離れた位置に配置されてしまうことがある。そのため、看護師やオペレータは、洗滌消毒時に内視鏡を持ったまま上記ＲＦＩＤ送受信部を配置している場所まで一々移動し、このＲＦＩＤ送受信部と通信して洗滌消毒に関する情報を得る必要があり、煩雑である。
【０００７】
また、大きな医療施設では、検査や治療の多さのために洗滌消毒すべき内視鏡が多数あり、内視鏡洗滌消毒装置を複数台設置して、これに伴い別体のＲＦＩＤ送受信部を多数設置している場合もある。この場合、看護師やオペレータは、上記ＲＦＩＤ送受信部が複数台あるので、どのＲＦＩＤ送受信部を用いて洗滌消毒に関する情報を通信したのか、分からなくなり混乱する可能性もある。
【０００８】
本発明は、上述した点に鑑みてなされたもので、無線電波の減衰を防止し、移動する煩雑さや混乱をなくして確実に洗滌消毒に関する情報を得ることが可能な内視鏡洗滌消毒装置を提供することを目的とする。
【課題を解決するための手段】
【０００９】
本発明の内視鏡洗滌消毒装置は、内視鏡を収納配置する槽部を備えた装置本体と、前記装置本体に対して開閉可能に設け、前記槽部を覆う蓋部と、前記装置本体を使用する使用者に関する使用者情報を記録する使用者情報記録部、及び前記内視鏡に取り付けてこの内視鏡に関する内視鏡情報を記録する内視鏡情報記録部に対して通信可能に、前記蓋部またはこの蓋部に覆われない前記装置本体の所望の部位に配設した送受信部と、を具備したことを特徴としている。
【発明の効果】
【００１０】
本発明の内視鏡洗滌消毒装置は、無線電波の減衰を防止し、移動する煩雑さや混乱をなくして確実に洗滌消毒に関する情報を得ることができる。
【発明を実施するための最良の形態】
【００１１】
以下、図面を参照して本発明の実施例を説明する。
【実施例１】
【００１２】
図１ないし図１３は本発明の実施例１に係り、図１は実施例１の内視鏡洗滌消毒装置の斜視図、図２は図１のトップカバーが開けられ、洗滌消毒槽に内視鏡が収納自在な状態である内視鏡洗滌消毒装置の斜視図、図３は内視鏡洗滌消毒装置の回路構成を示すブロック図、図４はＲＦＩＤタグの回路構成を示すブロック図、図５は図１の内視鏡洗滌消毒装置における無線通信範囲を示す斜視図、図７は図３のＣＰＵの制御を示すフローチャート、図８はＬＡＮケーブルを介して院内ネットワークに接続した内視鏡洗滌消毒装置を示す説明図、図９は装置本体に使用者ＩＤタグを取り付ける取り付け部を示す斜視図、図１０は図９の取り付け部に使用者ＩＤタグを差し込んだ際の側面図、図１１は変形例の内視鏡洗滌消毒装置の斜視図、図１２は図１１の内視鏡洗滌消毒装置における無線通信範囲を示す斜視図、図１３は図１２の洗滌消毒槽に内視鏡を収納配置した内視鏡洗滌消毒装置の上面図である。
【００１３】
図１に示すように内視鏡洗滌消毒装置１は装置本体２と、開閉自在に接続された蓋部であるトップカバー３とを有し、使用済みの内視鏡１０（図２参照）を収納配置してこの内視鏡１０を洗滌消毒するように構成されている。なお、本実施例では、前記トップカバー３がステンレスにより形成されている。  
前記装置本体２は、前記トップカバー３が閉じられるとこのトップカバー３がラッチ部４によりロックされて水密に密閉されるようになっている。
【００１４】
前記装置本体２の前面には、例えば左半部の上部に洗剤／アルコールトレー１１が配設されている。この洗剤／アルコールトレー１１には、前記内視鏡１０を洗滌するに際して用いる洗剤液が注入されたタンク１１ａ、及び洗滌消毒後の内視鏡１０を乾燥するに際して用いられるアルコールが注入されたタンク１１ｂが収納されている。前記洗剤／アルコールトレー１１は、引き出し自在に構成され、タンク１１ａ，１１ｂを交換して補充できるようになっている。なお、前記洗剤／アルコールトレー１１には窓部１１ｍが設けられており、この窓部１１ｍから各タンク１１ａ，１１ｂの残量を確認できるようになっている。
【００１５】
また、前記装置本体２の前面には、例えば右半部の上部にカセットトレー１２が配設されている。このカセットトレー１２には、前記内視鏡１０を消毒する際に用いる、例えば過酢酸等の消毒液が注入された消毒液ボトル１２ａが収納されている。前記カセットトレー１２は、引き出し自在に構成され、消毒液ボトル１２ａを交換して補充できるようになっている。
【００１６】
なお、前記装置本体２の内部には、前記消毒液ボトル１２ａからの消毒液と後述の給水ホース接続口１５から供給される水道水との消毒混合液を貯留する図示しない消毒液貯留タンクが設けられており、後述の循環口２４を介して給水排水して所定回数繰り返し使用するようになっている。
【００１７】
前記カセットトレー１２の上部には、洗滌消毒工程の詳細な設定が可能なサブ操作パネル１３が配設されている。このサブ操作パネル１３は、例えば洗滌時間、消毒時間、消毒液の濃度または量等の詳細設定や洗滌消毒工程の選択設定等が行えるようになっている。また、前記装置本体２の上面には、右側に通常操作されるメイン操作パネル１４が配設されている。このメイン操作パネル１４は、例えば、前記サブ操作パネル１３の操作により詳細設定された洗滌消毒工程の選択設定や選択された洗滌消毒工程の開始停止及び洗滌消毒工程とは異なる漏水検知やアルコールフラッシュ等の工程を実行するための設定等が行えるようになっている。
【００１８】
なお、このメイン操作パネル１４には、図示しないがスコープＩＤ表示部及び使用者ＩＤ表示部が配設され、後述のスコープＩＤタグ及び使用者ＩＤタグとの通信により情報の送受信の有無を告知するようになっている。  
また、装置本体２の上面には、奥側に給水ホース接続口１５が突設されている。この給水ホース接続口１５は、水道栓に接続されたホースが接続されるようになっている。なお、前記給水ホース接続口１５には、水道水を濾過するフィルタが内蔵されていてもよい。
【００１９】
また、前記装置本体２の前面下部には、前記トップカバー３を開けるためのペダルスイッチ１６が延設されている。このペダルスイッチ１６を踏み込むことにより、前記内視鏡洗滌消毒装置１は、前記ラッチ部４がロック解除されて前記装置本体２から前記トップカバー３が開放され、図２に示すようにトップカバー３が開くようになっている。
【００２０】
図２に示すように、前記装置本体２の前面には、前記ラッチ部４を構成しているラッチ受け部４ｂが設けられており、このラッチ受け部４ｂに前記トップカバー３のラッチ突部４ａが係合されることで、ラッチ部４がロックされるようになっている。  
また、前記装置本体２の上面には、略中央部に前記内視鏡１０を所定位置に収納配置する槽部として洗滌消毒槽２０が設けられている。なお、この洗滌消毒槽２０は、ステンレスにより形成されている。
【００２１】
前記洗滌消毒槽２０は、前記内視鏡１０が収納配置される槽本体２１と、この槽本体２１の外周縁に連続して周設されたテラス部２２とにより構成されている。前記槽本体２１の底面２１ｔには、この槽本体２１に供給された洗滌液，水，消毒液等を槽本体２１から排水するための排水口２３が設けられている。
【００２２】
また、前記槽本体２１の周状側面２１ｓの所定位置には、この槽本体２１に供給された洗滌液，水，消毒液等を槽本体２１から内視鏡１０の内部に配設された各管路に供給する、またはフィルタ等を介して後述の給水循環ノズル２８から槽本体２１に再度上記液体を供給するための循環口２４が設けられている。なお、前記循環口２４には、洗滌液，水，消毒液等を濾過するフィルタが内蔵されていても良い。また、この循環口２４は、槽本体２１の底面２１ｔに設けられていてもよい。
【００２３】
前記槽本体２１の側面２１ｓの所定位置には、槽本体２１に供給された洗滌液，水，消毒液等の水位を検出するカバー付き水位センサ（以下、単に水位センサ）２５が突出している。  
また、前記テラス部２２は、前記底面２１ｔに対して所定角度傾斜した周状の面（以下、テラス面と称す）２２ｔを有して形成されている。なお、前記テラス部２２の傾きは、底面２１ｔに限らず、側面２１ｓを基準にしても良い。
【００２４】
前記テラス面２２ｔ以外の面、即ち槽本体２１の底面２１ｔと平行な面には、洗剤ノズル２６，消毒液ノズル２７及び給水循環ノズル２８が配設されている。  
前記洗剤ノズル２６は、図示しないポンプの動作により前記タンク１１ａから前記槽本体２１に洗剤液を供給するようになっている。前記消毒液ノズル２７は、図示しないポンプの動作により前記消毒液ボトル１２ａから前記槽本体２１に消毒液を供給するようになっている。前記給水循環ノズル２８は、図示しないポンプの動作により前記タンク１１ｂから前記槽本体２１にアルコールを供給するか、または槽本体２１の循環口２４から排出した洗滌液，水，消毒液等を、再度槽本体２１に供給するようになっている。なお、これら洗剤ノズル２６、消毒液ノズル２７及び給水循環ノズル２８は、テラス面２２ｔに配設されていても良い。
【００２５】
また、前記テラス面２２ｔの奥側面２２ｆには、図示しないチューブを介して前記内視鏡１０の内部管路に洗滌液，水，消毒液、またはエア等を供給するための送気送水／吸引用ポート２９ａと、副送水／鉗子起上用ポート２９ｂと、漏水検知用ポート２９ｃとが配設されている。  
送気送水／吸引用ポート２９ａは、槽本体２１に設けられた循環口２４と、図示しないポンプ等を介して接続されている。また、送気送水／吸引用ポート２９ａは、装置本体２に配設された図示しないコンプレッサとも接続されている。
【００２６】
前記内視鏡１０が前記洗滌消毒槽２０に収納配置された際、２つの送気送水／吸引用ポート２９ａには、内視鏡１０の内部に配設された図示しない送気送水チャンネルの管路接続口（以下、単に開口と称す）３１、吸引チャンネルの開口３２にチューブのコネクタがそれぞれ接続されるようになっている。  
このような接続により、送気送水／吸引用ポート２９ａは、槽本体２１の循環口２４から図示しないポンプにより槽内の液体を内視鏡１０の管路へ送液するか、または装置本体２の図示しないコンプレッサからエアを内視鏡１０の管路へ送気する。  
また、送気送水／吸引ポート２９ａは、図示しないポンプ及びコンプレッサによりタンク１１ｂからアルコールを送液する。
【００２７】
一方、副送水／鉗子起上用ポート２９ｂも同様に槽本体２１に設けられた循環口２４と、図示しないポンプ等を介して接続されている。また、副送水／鉗子起上用ポート２９ｂは、装置本体２に配設された図示しないコンプレッサとも接続されている。  
前記副送水／鉗子起上用ポート２９ｂも同様に槽本体２１の循環口２４から図示しないポンプにより槽内の液体を内視鏡１０の管路へ送液するか、または装置本体２の図示しないコンプレッサからエアを内視鏡１０の管路へ送気する。また、副送水／鉗子起上用ポート２９ｂは、図示しないポンプ及びコンプレッサによりタンク１１ｂからアルコールを送液する。
【００２８】
これにより、内視鏡１０の各管路内は、洗滌、消毒、すすぎ、乾燥等がなされる。さらに、漏水検知用ポート２９ｃは、装置本体２に配設された図示しない漏水検知ポンプと接続されている。  
前記内視鏡１０が前記洗滌消毒槽２０に収納配置された際、漏水検知用ポート２９ｃにも、コネクタ部３４の開口３４ａにチューブのコネクタが接続されるようになっている。この開口３４ａは、内視鏡１０の内部管路と外装部との間に形成される空間に形成されている。  
これにより、漏水検知用ポート２９ｃは、内視鏡１０の内部に漏水検知ポンプから自動的にエアを供給することにより、内視鏡１０の内部管路と外表面との間に小さな孔、亀裂等が開いているか否かの検知を行うようになっている。
【００２９】
さらに、前記装置本体２の前記ラッチ受け部４ｂには、前記トップカバー３の開閉状態を検知するリミットセンサ４２が配設されている。このリミットセンサ４２は、前記トップカバー３が閉じられて前記ラッチ突部４ａが前記ラッチ受け部４ｂに係止されてラッチ部４がロックされた際に、オンするようになっている。なお、前記リミットセンサ４２は、図示しないが複数箇所に設けてもよい。  
これにより、前記内視鏡洗滌消毒装置１は、前記リミットセンサ４２がオンすることで前記トップカバー３が閉じられたことを検知することができるようになっている。
【００３０】
また、前記内視鏡１０には、例えば、前記コネクタ部３４に内視鏡情報記録部としてのスコープＩＤタグ８２が内蔵されている。  
前記スコープＩＤタグ８２には、例えば、型名、製造番号等の内視鏡固有の情報が読み込み可能である。なお、前記スコープＩＤタグ８２は、書き込み可能としてもよい。また、このスコープＩＤタグ８２には、洗滌時間、消毒時間、実施完了日等の洗滌消毒情報を読み書き可能に構成してもよい。
【００３１】
また、前記装置本体２を使用して前記内視鏡１０の洗滌消毒を行う使用者は、使用者情報記録部としての使用者ＩＤタグ８３を身に着けて保持している。この使用者ＩＤタグ８３は、例えば、氏名、年齢、性別、所属先等の使用者に関する情報を読み込み可能である。なお、前記使用者ＩＤタグ８３は、書き込み可能としてもよい。
【００３２】
次に、内視鏡洗滌消毒装置１の回路構成を説明する。  
図５に示すように内視鏡洗滌消毒装置１は、ＲＳ２３２Ｃ接続口５１及びＬＡＮ（ Local Area Network ）接続口５２を有して外部に対して通信可能であり、前記水位センサ２５、リミットセンサ４２及びその他のセンサ類５３を設けている。
【００３３】
前記ＲＳ２３２Ｃ接続口５１は、外部装置としてパーソナルコンピュータ（以下、外部ＰＣ）等に接続してこの外部ＰＣと通信可能となっている。前記ＬＡＮ接続口５２は、院内ネットワーク等に接続して通信可能となっている。  
また、内視鏡洗滌消毒装置１は、前記漏水検知用ポート２９ｃを設けている漏水検知部５４、プリンタ部５５、前記サブ操作パネル１３及びメイン操作パネル１４、超音波を発生する超音波振動子５６、超音波振動子５６を駆動する超音波駆動部５７、電磁弁やポンプ等の各種電磁部品５８とを有し、これらを制御する制御部５９を設けて構成されている。
【００３４】
前記制御部５９は、前記ＲＳ２３２Ｃ接続口５１及びＬＡＮ接続口５２を介して外部と接続する通信インターフェイス（以下、通信Ｉ／Ｆ）６１、前記サブ操作パネル１３及びメイン操作パネル１４と接続するパネルインターフェイス（以下、パネルＩ／Ｆ）６２、前記超音波駆動部５７と接続するＵＳインターフェイス（以下、ＵＳ  Ｉ／Ｆ）６３を有している。なお、前記サブ操作パネル１３及びメイン操作パネル１４には、スイッチ類等の操作部６４及びＬＣＤ（ Liquid Crystal Display）等の表示部６５が設けられている。
【００３５】
また、前記制御部５９は、前記各種電磁部品５８を駆動するドライブ回路６６、前記水位センサ２５等からの信号を処理するセンサ回路６７、前記ドライブ回路６６及び前記センサ回路６７と接続するＩ／Ｏ回路６８を有している。  
前記制御部５９は、前記通信Ｉ／Ｆ６１、パネルＩ／Ｆ６２、ＵＳ  Ｉ／Ｆ６３、Ｉ／Ｏ回路６８を介して各部を制御する制御手段としてのＣＰＵ６９を備えている。即ち、このＣＰＵ６９は、内視鏡洗滌消毒装置１の全構成部を制御するようになっている。なお、前記ＣＰＵ６９と前記Ｉ／Ｏ回路６８とは、バス７１によって接続されている。
【００３６】
前記ＣＰＵ６９は、クロック７２、記憶部としてのメモリ７３及びリセット回路７４に接続されている。前記クロック７２は、洗滌消毒工程を時間的に制御するための時間情報を前記ＣＰＵ６９へ出力するようになっている。
【００３７】
前記メモリ７３は電源をオフしてもそのデータを保持する不揮発性に構成されており、洗滌消毒工程に対する設定内容や実行時の洗滌消毒情報、内視鏡情報や使用者情報、患者情報、あるいは洗剤液等の消耗品の有効期限及び使用回数等のメンテナンス情報、課金情報、エラーサポート情報等が格納されるようになっている。
【００３８】
また、前記内視鏡洗滌消毒装置１は、送受信部として無線ＩＤ送受信部８１を設けている。この無線ＩＤ送受信部８１は、前記通信Ｉ／Ｆ６１を介して前記ＣＰＵ６９の制御により、前記スコープＩＤタグ８２及び前記使用者ＩＤタグ８３と通信して使用者情報及び内視鏡情報を送受信するようになっている。
【００３９】
前記ＣＰＵ６９は、前記無線ＩＤ送受信部８１により受信した前記スコープＩＤタグ８２からの内視鏡情報及び、前記使用者ＩＤタグ８３からの使用者情報に対し、所定の信号処理を施した後、前記メモリ７３に記憶するようになっている。  
上記動作の後、このＣＰＵ６９は、使用者が前記洗滌消毒槽２０の所定位置に前記内視鏡１０を収納配置して前記トップカバー３を閉じた後、使用者の指示操作により洗滌消毒工程を実行するようになっている。
【００４０】
上記洗滌消毒工程終了後、前記ＣＰＵ６９は、前記内視鏡１０に対して実行した洗滌消毒情報、例えば洗滌時間、消毒時間、実施完了日等の情報を、前記メモリ７３に記憶した内視鏡情報と、使用者情報とに関連付けて記憶させるようになっている。なお、前記ＣＰＵ６９は、前記無線ＩＤ送受信部８１を介して前記スコープＩＤタグ８２または前記使用者ＩＤタグ８３に上記洗滌消毒情報を書き込むように構成してもよい。  
また、前記ＣＰＵ６９は、前記メモリ７３に記憶した情報を前記プリンタ部５５により印字したり、前記ＲＳ２３２Ｃ接続口５１または前記ＬＡＮ接続口５２を介して後述するように外部に出力可能となっている。
【００４１】
前記無線ＩＤ送受信部８１を介して前記ＣＰＵ６９と通信する前記スコープＩＤタグ８２及び、前記使用者ＩＤタグ８３は、例えば図４に示すように構成されている。  
図４に示すように前記スコープＩＤタグ８２及び、前記使用者ＩＤタグ８３等のＲＦＩＤタグ８４は、固有情報が記録保存可能で且つ、この記録した固有情報を読み書き自在なメモリ８４ａと、このメモリ８４ａに対して情報の読み書きを指示制御する演算部８４ｂと、無線通信を行う通信部８４ｃとを有して構成されている。
【００４２】
例えば、前記スコープＩＤタグ８２では、前記メモリ８４ａに型名、製造番号の他にＣＣＤ（ Charge Coupled Device ）の特性や、過去の修理来歴、ビデオプロセッサの使用回数などの内視鏡固有の情報が記録されるようになっている。  
このスコープＩＤタグ８２は、前記無線ＩＤ送受信部８１と通信すると、前記演算部８４ｂの指示制御により前記メモリ８４ａに記録されている上記内視鏡固有の情報が前記通信部８４ｃから無線電波により発信されるようになっている。なお、このスコープＩＤタグ８２は、前記通信部８４ｃにより受信した前記無線ＩＤ送受信部８１からの洗滌消毒情報を前記演算部８４ｂの指示制御により前記メモリ８４ａに記録することも可能である。
【００４３】
本実施例では、前記トップカバー３が無線電波を減衰するステンレスにより形成されているため、このトップカバー３に覆われない前記装置本体の所望の部位に前記無線ＩＤ送受信部８１を配設するように構成されている。  
さらに、具体的に説明すると、図５及び図６に示すように前記内視鏡洗滌消毒装置１は、前記装置本体２の所望の部位として上面の左側に前記無線ＩＤ送受信部８１を内蔵している。なお、前記装置本体２の外装は、無線電波を透過する材質により形成されている。また、図６では、内視鏡１０の操作部が洗滌消毒槽２０の奥側に配置されるとともにコネクタ部３４が前面側に配置されるようになっている。
【００４４】
前記無線ＩＤ送受信部８１の無線通信範囲８５は、例えば、図５及び図６の点線により示している。この無線通信範囲８５内に前記スコープＩＤタグ８２及び、前記使用者ＩＤタグ８３を位置させることにより、前記無線ＩＤ送受信部８１は、前記スコープＩＤタグ８２及び、前記使用者ＩＤタグ８３と無線通信が可能となる。なお、無線通信範囲８５は所定の大きさを備えており、垂直方向または水平方向に偏平した指向性を持っていても構わない。なお、図５２では前記無線ＩＤ送受信部８１を中心に最大５０ｃｍ程度の通信範囲を有している。なお、無線ＩＤ送受信部８１によっては通信範囲がそれ以上であっても構わない。
【００４５】
即ち、前記内視鏡洗滌消毒装置１は、前記トップカバー３の開閉に関わらず、使用者が前記内視鏡１０を持って装置本体２の上面左側付近、前記無線ＩＤ送受信部８１の無線通信範囲８５内に前記コネクタ部３４を位置させることにより、このコネクタ部３４に設けている前記スコープＩＤタグ８２が前記無線ＩＤ送受信部８１の無線通信範囲８５内に位置してこのスコープＩＤタグ８２と無線ＩＤ送受信部８１との無線通信が行われる。
【００４６】
同様に、前記内視鏡洗滌消毒装置１は、使用者が前記使用者ＩＤタグ８３を持って前記無線ＩＤ送受信部８１の無線通信範囲８５内に前記使用者ＩＤタグ８３を位置させることにより、この使用者ＩＤタグ８３と無線ＩＤ送受信部８１との無線通信が行われる。  
なお、前記内視鏡洗滌消毒装置１は、コネクタ部３４が前記無線ＩＤ送受信部８１の無線通信範囲８５内に位置するように前記洗滌消毒槽２０の所定位置に前記内視鏡１０を収納配置することにより、前記スコープＩＤタグ８２との無線通信が可能である。
【００４７】
したがって、前記内視鏡洗滌消毒装置１は、前記トップカバー３にて覆われない装置本体２の上面左側に前記無線ＩＤ送受信部８１を配設しているため、トップカバー３を閉めている状態でも内視鏡情報及び、使用者情報を取得可能である。  
前記内視鏡洗滌消毒装置１は、前記スコープＩＤタグ８２及び、前記使用者ＩＤタグ８３と通信して使用者情報及び、内視鏡情報を取得した後、使用者によって前記洗滌消毒槽２０に前記内視鏡１０を収納配置されて洗滌消毒が行われるようになっている。
【００４８】
このように構成されている内視鏡洗滌消毒装置１の作用を説明する。  
使用者は、前記内視鏡洗滌消毒装置１を用いて使用済みの内視鏡１０を洗滌消毒する。  
先ず、使用者は、内視鏡洗滌消毒装置１の前面側に向き、内視鏡洗滌消毒装置１の図示しない電源スイッチを押下操作して起動させる。内視鏡洗滌消毒装置１が起動した後、使用者は、トップカバー３が閉じた状態の内視鏡洗滌消毒装置１の前面に前記内視鏡１０を持ってくる。
【００４９】
使用者は、持っている内視鏡１０のコネクタ部３４を装置本体２の上面左側付近、即ち、前記無線ＩＤ送受信部８１の無線通信範囲８５内に位置させることにより、このコネクタ部３４に設けているスコープＩＤタグ８２を無線ＩＤ送受信部８１の無線通信範囲８５内に位置させる。これにより、前記内視鏡洗滌消毒装置１は、前記無線ＩＤ送受信部８１が前記スコープＩＤタグ８２と無線通信し、このスコープＩＤタグ８２から無線送信される内視鏡情報を取得する。
【００５０】
同様に、使用者は、身に着けている使用者ＩＤタグ８３を装置本体２の上面左側付近、即ち、前記無線ＩＤ送受信部８１の無線通信範囲８５内に位置させる。これにより、前記内視鏡洗滌消毒装置１は、前記無線ＩＤ送受信部８１が前記使用者ＩＤタグ８３と無線通信し、この使用者ＩＤタグ８３から無線送信される使用者情報を取得する。
【００５１】
次に、使用者は、ペダルスイッチ１６を踏み込みラッチ部４のロックを解除してトップカバー３を開き、使用済みの内視鏡１０を洗滌消毒槽２０の所定位置に収納配置する。もちろん、トップカバー３を開いてから前記ＩＤ入力を行ってもよい。
【００５２】
使用者は、装置本体２の送気送水／吸引用ポート２９ａ、副送水／鉗子起上用ポート２９ｂ、漏水検知用ポート２９ｃのそれぞれにチューブを接続して、この接続したチューブの他端を前記内視鏡１０の送気送水チャンネルの開口３１，吸引チャンネルの開口３２、または副送水／鉗子起上用チャンネルの開口３３に接続する。
【００５３】
次に、使用者がトップカバー３を閉じると、内視鏡洗滌消毒装置１は、前記ラッチ突部４ａが前記ラッチ受け部４ｂに係止されてラッチ部４がロックされる。内視鏡洗滌消毒装置１は、ラッチ受け部４ｂに配設されているリミットセンサ４２がオンし、この検知信号を前記ＣＰＵ６９に出力する。
【００５４】
なお、図６に示すように前記スコープＩＤタグ８２が無線通信範囲８５内に位置するように内視鏡１０をセットするような洗滌消毒槽２０の構成としてもよい。図示しないが保持網や槽自体の形状にて内視鏡１０の位置を指定することができる。このような構成にすると、前記スコープＩＤタグ８２との通信は、例えばトップカバー３を閉めるときに読み込むようにすることで、自動で行うことができる。これにより、内視鏡１０をセットする際に意図的にスコープＩＤタグ８２を読み込ませる動作が不要となる。
【００５５】
次に使用者は、メイン操作パネル１４の図示しないスタートスイッチを押下操作して予め選択設定した洗滌消毒工程を開始させる。スタートスイッチを押下操作された内視鏡洗滌消毒装置１は、スタート信号を受信したＣＰＵ６９により例えば図７に示すフローチャートに従い制御を開始する。
【００５６】
図７に示すように前記ＣＰＵ６９は、前記無線ＩＤ送受信部８１から内視鏡情報の入力が有るか否かを判断する（ステップＳ１）。  
前記無線ＩＤ送受信部８１から内視鏡情報の入力がない場合、前記ＣＰＵ６９は、例えば前記メイン操作パネル１４の表示部６５にエラーコードを表示させるかまたは「内視鏡情報が入力されていません」等の表示を行う、もしくは、図示しないスピーカにより音声を発して使用者に警告告知し、Ｓ１に戻り内視鏡情報の入力を待つ。
【００５７】
前記無線ＩＤ送受信部８１から内視鏡情報の入力がある場合、前記ＣＰＵ６９は入力された内視鏡情報を前記メモリ７３に記憶して次のステップに移り、前記無線ＩＤ送受信部８１から使用者情報の入力が有るか否かを判断する（ステップＳ２）。  
前記無線ＩＤ送受信部８１から使用者情報の入力がない場合、前記ＣＰＵ６９は、例えば前記メイン操作パネル１４の表示部６５にエラーコードを表示させるかまたは「使用者情報が入力されていません」等の表示を行うか、もしくは、図示しないスピーカにより音声を発して使用者に警告告知し、Ｓ２に戻り使用者情報の入力を待つ。
【００５８】
前記無線ＩＤ送受信部８１から使用者情報の入力がある場合、前記ＣＰＵ６９は入力された使用者情報を前記メモリ７３に記憶して次のステップに移り、前記リミットセンサ４２からの検知結果に基づき、トップカバー３が閉じているか否かを判断する（ステップＳ３）。トップカバー３が閉じていない場合、ＣＰＵ６９はＳ３に戻る。トップカバー３が閉じている場合、ＣＰＵ６９は、選択された洗滌消毒工程をスタートさせる（ステップＳ４）。
【００５９】
選択された洗滌消毒工程が終了したらＣＰＵ６９は、前記内視鏡１０に対して実行した洗滌消毒情報、例えば洗滌時間、消毒時間、実施完了日等の情報と、前記メモリ７３に記憶した内視鏡情報と、使用者情報とを関連付けて洗滌消毒に関する情報として記憶させる。以上で、洗滌消毒工程が終了する。  
なお、アルコールフラッシュ工程として、使用者は前記メイン操作パネル１４の図示しないアルコールフラッシュスイッチを押下操作してアルコールを内視鏡１０の管路内に送気してこの管路内の残留水分の除去を行う。
【００６０】
これにより、内視鏡洗滌消毒装置１は、前記内視鏡１０に対する洗滌消毒が完了する。上記洗滌消毒工程の終了後、前記メモリ７３に記憶保存されている内視鏡情報、使用者情報及び洗滌消毒情報等の洗滌消毒に関する情報は、次回の洗滌消毒設定への活用や「どの内視鏡を、どのように、誰が洗滌消毒したか」というトレーサビリティ(来歴管理)として活用される。
【００６１】
さらに、具体的に説明すると、上記洗滌消毒工程の終了後、または一日の終わりまたは任意の日時に、使用者は、洗滌消毒結果を印字出力する。この場合、内視鏡洗滌消毒装置１は、前記操作部６４から入力される操作情報に基づき、ＣＰＵ６９が前記メモリ７３に記録された洗滌消毒に関する情報を抽出して前記プリンタ部５５に印字出力するようにしている。また、前記内視鏡洗滌消毒装置１は、前記ＲＳ２３２Ｃ接続口５１に図示しないＲＳ２３２Ｃケーブルを接続して外部ＰＣと通信し、前記メモリ７３に記録されている洗滌消毒に関する情報を閲覧可能としてもよい。
【００６２】
さらに、図８に示すように前記内視鏡洗滌消毒装置１は、前記ＬＡＮ接続口５２にＬＡＮケーブル５２ａを接続して院内ネットワーク９１を介し、この院内ネットワーク９１に接続されているプリンタ９２に印字出力するようにしてもよい。  
また、前記内視鏡洗滌消毒装置１は、前記院内ネットワーク９１に接続されている端末９３や外部データベースとしての院内サーバ９４に洗滌消毒に関する情報を出力して登録するようにしてもよい。
【００６３】
これにより、前記内視鏡洗滌消毒装置１は、前記院内サーバ９４と情報の送受信ができ、この院内サーバ９４に洗滌消毒結果の履歴情報を逐次保存したり、この院内サーバ９４から任意に情報を取り出すことができる。これにより、前記内視鏡洗滌消毒装置１は、外部データベース利用による情報量の増加を実現できる。なお、前記内視鏡洗滌消毒装置１は、前記ＬＡＮケーブル５２ａを介して例えば、前記院内サーバ９４からインターネットに接続できるように構成してもよい。
【００６４】
この結果、本実施例の内視鏡洗滌消毒装置１は、内視鏡情報、使用者情報及び洗滌消毒情報等の洗滌消毒に関する情報を電子データとして記録を残せるために、字の上手下手や記録した紙が滲んで読めないといったことが無く、確実にデータを残すことができる。
【００６５】
また、本実施例の内視鏡洗滌消毒装置１は、ステンレス性のトップカバー３に覆われていない前記装置本体２の所望の部位として上面左側に前記無線ＩＤ送受信部８１が配設されているため、この無線ＩＤ送受信部８１に内視鏡１０の汚れが付着することや洗滌消毒時に使用する水や薬液等が掛かることを防止でき、また、来歴を取るために内視鏡１０を持ったまま移動する必要がなく、且つ、別体のＲＦＩＤ送受信部を多数設置することの混乱を回避できて来歴の取り違えが無くなり、確実に洗滌消毒に関する情報を取得できる。  
したがって、本実施例の内視鏡洗滌消毒装置１は、無線電波の減衰を防止し、移動する煩雑さや混乱をなくして確実に洗滌消毒に関する情報を得ることができる。
【００６６】
なお、内視鏡洗滌消毒装置は、前記使用者ＩＤタグ８３を取り付ける取り付け部を設けて構成してもよい。図９及び図１０に示すように内視鏡洗滌消毒装置は、前記トップカバー３に覆われない所望の部位に前記使用者ＩＤタグ８３を取り付ける取り付け部９５を設けている。
【００６７】
前記取り付け部９５は、前記無線ＩＤ送受信部８１の無線通信範囲８５内に位置するように設けている。この取り付け部９５に差し込まれることにより、前記使用者ＩＤタグ８３は、前記無線ＩＤ送受信部８１の無線通信範囲８５内にトップカバー３を閉めたときに確実に位置することができ、前記無線ＩＤ送受信部８１との無線通信が可能となる。  
したがって、使用者は、前記取り付け部９５に前記使用者ＩＤタグ８３を差し込んだままにして使用者情報の入力の手間を省くことができる。
【００６８】
なお、前記取り付け部９５は、前記使用者ＩＤタグ８３を保持できるのであれば図９及び図１０に示す構造でなくてもよい。また、前記使用者ＩＤタグ８３を取り付ける取り付け部９５は、前記トップカバー３がステンレスでなく樹脂により形成されていれば、この樹脂性のトップカバーに配設してもよい。
【００６９】
また、使用者情報記録部としては、前記使用者ＩＤタグ８３の代わりに磁気カードやＩＣカード等の有接点カードを用いてもよい。この場合、送受信部としては前記無線ＩＤ送受信部８１の代わりに、磁気カード送受信部やＩＣカード送受信部等の有接点送受信部を前記装置本体２またはトップカバーの所望の部位に配設する。
【００７０】
なお、使用者ＩＤとしては、個人認識手段として例えば、指紋や声紋、網膜等を用いてもよい。個人認識手段として指紋を用いる場合、内視鏡洗滌消毒装置１は、図示しないが例えば前記トップカバー３のラッチ突部４ａまたは前記メイン操作パネル１４のスタートスイッチに指紋検出装置を設けて構成する。
【００７１】
これにより、内視鏡洗滌消毒装置は、トップカバー３を閉める動作または前記メイン操作パネル１４のスタートスイッチを押下操作すると同時に、指紋検出装置による個人認識ができて個人認識のための行為を減らすことにより、使用者の手間を軽減できる。
【００７２】
一方、個人認識手段として声紋を用いる場合、内視鏡洗滌消毒装置は、図示しないが例えば声紋検出装置を設けて、この声紋検出装置から延出するマイクに音声、例えば「洗滌消毒スタート」等のコマンド音声を発することにより、声紋検出装置による個人認識ができる。
【００７３】
また、個人認識手段として網膜を用いる場合、内視鏡洗滌消毒装置は、図示しないが例えば網膜検出装置を設けて、この網膜検出装置から延出するカメラに網膜を写すことにより、網膜検出装置による個人認識ができる。
【００７４】
なお、前記トップカバー３に覆われない前記装置本体２の所望の部位として前記装置本体２の前面側に前記無線ＩＤ送受信部８１を内蔵して構成してもよい。  
図１１に示すように内視鏡洗滌消毒装置１Ｂは、前記トップカバー３に覆われない所望の部位として前記装置本体２の前面側に前記無線ＩＤ送受信部８１を内蔵して構成されている。
【００７５】
この無線ＩＤ送受信部８１の無線通信範囲８５Ｂは、例えば図１２及び図１３の点線に示すようになっている。さらに具体的に説明すると、図１２及び図１３に示すように無線ＩＤ送受信部８１の無線通信範囲８５Ｂは、前記装置本体２の前面側に上下左右方向に直方体形状に形成されている。なお、図１３では、内視鏡１０の操作部が洗滌消毒槽２０の奥側に配置されるとともにコネクタ部３４も奥側に配置されるようになっている。
【００７６】
したがって、前記内視鏡洗滌消毒装置１Ｂは、前記内視鏡１０を前記洗滌消毒槽２０に収納配置される際に自動的にその範囲内に前記スコープＩＤタグ８２が通過するようになっている。また、この動作により、使用者が身に着けている前記使用者ＩＤタグ８３もまた自動的に前記無線ＩＤ送受信部８１の無線通信範囲８５Ｂ内を通過するようになっている。
【００７７】
これにより、前記内視鏡洗滌消毒装置１Ｂは、使用者が前記内視鏡１０を前記洗滌消毒槽２０の所定位置に収納配置する動作のみで自動的に前記スコープＩＤタグ８２及び前記使用者ＩＤタグ８３が前記無線ＩＤ送受信部８１の無線通信範囲８５Ｂ内を通過し、この無線ＩＤ送受信部８１との通信ができる。
【００７８】
なお、前記使用者ＩＤタグ８３は、使用者が前記装置本体２の前面側に立ち、意識的に前記使用者ＩＤタグ８３を前記装置本体２の前記洗滌消毒槽２０に向けてかざすことにより、前記無線ＩＤ送受信部８１の無線通信範囲８５Ｂ内に位置するようにしてももちろん構わない。
【実施例２】
【００７９】
図１４ないし図２２は本発明の実施例２に係り、図１４は実施例２の内視鏡洗滌消毒装置の斜視図、図１５は図１４の内視鏡洗滌消毒装置における無線通信範囲を示す斜視図、図１６は図１５の無線通信範囲を示す洗滌消毒槽及びトップカバーの概略断面図、図１７は図１６の変形例を示す洗滌消毒槽及びトップカバーの概略断面図、図１８は図１４の変形例を示す内視鏡洗滌消毒装置の斜視図、図１９は図１８の内視鏡洗滌消毒装置における無線通信範囲を示す斜視図、図２０は図１９の無線通信範囲を示す洗滌消毒槽及びトップカバーの概略断面図、図２１は設定変更におけるＣＰＵの制御を示すフローチャート、図２２は管理者のみによる設定変更のＣＰＵの制御を示すフローチャートである。
【００８０】
上記実施例１はステンレスにより形成されているトップカバーに覆われていない前記装置本体２の所望の部位として装置本体２の上面左側または前面側に前記無線ＩＤ送受信部８１を配設するように構成しているが、実施例２は樹脂により形成したトップカバーに前記無線ＩＤ送受信部８１を埋設するように構成する。それ以外の構成は上記実施例１と同様であるので説明を省略し、同一構成には同じ符号を付して説明する。
【００８１】
即ち、図１４に示すように実施例２の内視鏡洗滌消毒装置１Ｃは、樹脂により形成されているトップカバー３Ｃの前面側に前記無線ＩＤ送受信部８１を埋設して構成されている。なお、前記トップカバー３Ｃは本体部分が樹脂性であり、強度確保のために枠体がステンレスにより形成されている。
【００８２】
さらに具体的に説明すると、図１５及び図１６に示すように前記無線ＩＤ送受信部８１は、前記トップカバー３Ｃ前面側の樹脂部分に埋設されている。この無線ＩＤ送受信部８１の無線通信範囲８５Ｃは、例えば図１５及び図１６の点線に示すように前記トップカバー３Ｃ前面側の上下方向に形成されている。
【００８３】
したがって、前記内視鏡洗滌消毒装置１Ｃは、使用者が前記内視鏡１０を持って前記トップカバー３Ｃの前面側付近、即ち、前記無線ＩＤ送受信部８１の無線通信範囲８５Ｃ内に前記コネクタ部３４を位置させることにより、このコネクタ部３４に設けている前記スコープＩＤタグ８２が前記無線ＩＤ送受信部８１の無線通信範囲８５Ｃ内に位置してこのスコープＩＤタグ８２と無線ＩＤ送受信部８１との無線通信が行われる。
【００８４】
同様に、前記内視鏡洗滌消毒装置１Ｃは、使用者が前記使用者ＩＤタグ８３を持って前記無線ＩＤ送受信部８１の無線通信範囲８５Ｃ内に前記使用者ＩＤタグ８３を位置させることにより、この使用者ＩＤタグ８３と無線ＩＤ送受信部８１との無線通信が行われる。
【００８５】
なお、内視鏡洗滌消毒装置１Ｃは、使用者がトップカバー３を閉めてしまった後でもこのトップカバー３Ｃの前面側である前記無線ＩＤ送受信部８１の無線通信範囲８５Ｃ内に使用者ＩＤタグ８３を位置させることにより、前記無線ＩＤ送受信部８１と前記使用者ＩＤタグ８３との通信が行われ前記使用者ＩＤタグ８３からの使用者情報を取得することができる。
【００８６】
また、内視鏡洗滌消毒装置１Ｃは、使用者が内視鏡１０を洗滌消毒槽２０に収納配置する際に、前記無線ＩＤ送受信部８１の無線通信範囲８５Ｃ内に前記スコープＩＤタグ８２及び前記使用者ＩＤタグ８３が位置するように内視鏡１０を配置せしめることで、スコープＩＤタグ８２と前記無線ＩＤ送受信部８１との通信が自動的に行われて前記スコープＩＤタグ８２からの内視鏡情報を取得するようにしてもよい。
【００８７】
これにより、実施例２の内視鏡洗滌消毒装置１Ｃは、上記実施例１と同様な効果を得ることができる。  
なお、図１６においては、内視鏡１０を保持する保持網によって無線通信範囲８５Ｃ内にスコープＩＤタグ８２が位置するように保持されるが図１７に示すように洗滌消毒槽２０に深い部分を設けて形成してもよい。なお、スコープＩＤタグ８２は、コネクタ部３４でなくとも操作部であってもよく、その場合も洗滌消毒槽２０の深い部分や保持網で保持される。また、挿入部、ユニバーサルコードにスコープＩＤタグ８２を設ける場合には、スコープＩＤタグ８２が所定の位置にくるように保持網を設けるか、挿入部やユニバーサルコードが位置するための平面部ないしは凹部または深い部分を設けてもよい。
【００８８】
なお、前記無線ＩＤ送受信部８１は、トップカバーの奥側に配設するように構成してもよい。図１８に示すように内視鏡洗滌消毒装置１Ｄは、樹脂により形成されているトップカバー３Ｄの奥側に前記無線ＩＤ送受信部８１を配設して構成されている。なお、前記トップカバー３Ｄは、前記トップカバー３Ｃと同様な構成である。  
さらに具体的に説明すると、図１９及び図２０に示すように前記無線ＩＤ送受信部８１は、前記トップカバー３Ｄ奥側の樹脂部分に埋設されている。
【００８９】
この無線ＩＤ送受信部８１の無線通信範囲８５Ｄは、例えば図１９及び図２０の点線に示すように前記トップカバー３Ｄ奥側の上下方向に形成されている。  
したがって、前記内視鏡洗滌消毒装置１Ｄは、使用者が前記内視鏡１０を持って前記トップカバー３Ｄの奥側付近、即ち、前記無線ＩＤ送受信部８１の無線通信範囲８５Ｄ内に前記コネクタ部３４を位置させることにより、このコネクタ部３４に設けている前記スコープＩＤタグ８２が前記無線ＩＤ送受信部８１の無線通信範囲８５Ｄ内に位置してこのスコープＩＤタグ８２と無線ＩＤ送受信部８１との無線通信が行われる。
【００９０】
同様に、前記内視鏡洗滌消毒装置１Ｄは、使用者が前記使用者ＩＤタグ８３を持って前記無線ＩＤ送受信部８１の無線通信範囲８５Ｄ内に前記使用者ＩＤタグ８３を位置させることにより、この使用者ＩＤタグ８３と無線ＩＤ送受信部８１との無線通信が行われる。  
なお、内視鏡洗滌消毒装置１Ｄは、使用者がトップカバー３を閉めてしまった後でもこのトップカバー３Ｃの奥側である前記無線ＩＤ送受信部８１の無線通信範囲８５Ｄ内に使用者ＩＤタグ８３を位置させることにより、前記無線ＩＤ送受信部８１と前記使用者ＩＤタグ８３との通信が行われ前記使用者ＩＤタグ８３からの使用者情報を取得することができる。
【００９１】
なお、本変形例では、前記無線ＩＤ送受信部８１がトップカバー３Ｄの奥側に配設されているため、意識的に使用者ＩＤタグ８３を前記無線ＩＤ送受信部８１の無線通信範囲８５Ｄ内に位置させて使用者情報を読み込ませるようになっている。これにより、内視鏡洗滌消毒装置１Ｄは、前記無線ＩＤ送受信部８１と前記使用者ＩＤタグ８３との通信が行われる。
【００９２】
また、内視鏡洗滌消毒装置１Ｄは、使用者が内視鏡１０を洗滌消毒槽２０に収納配置する際に、前記無線ＩＤ送受信部８１の無線通信範囲８５Ｄ内に前記スコープＩＤタグ８２が位置されることで、このスコープＩＤタグ８２と前記無線ＩＤ送受信部８１との通信が自動的に行われて前記スコープＩＤタグ８２からの内視鏡情報を取得するようにしてもよい。
【００９３】
これにより、本変形例の内視鏡洗滌消毒装置１Ｄは、上記実施例２と同様な効果を得ることに加え、使用者が意識的に使用者情報を無線ＩＤ送受信部８１に読み込ませることで使用者情報の確実な入力ができる。  
なお、内視鏡洗滌消毒装置は、前記メイン操作パネル１４の選択設定や前記サブ操作パネル１３の詳細設定操作により、洗滌消毒工程の洗滌時間、消毒時間等の設定変更が可能である。
【００９４】
上記設定変更は、例えば、前記メイン操作パネル１４または前記サブ操作パネル１３の図示しない設定変更スイッチの押下操作により設定変更モードに移行し、使用者による設定変更操作を確定するようになっている。  
本実施例では、上述した使用者ＩＤ入力が行われることにより、上記設定変更モードに移行するように構成している。
【００９５】
上記設定変更は、前記ＣＰＵ６９の制御により例えば図２１に示すフローチャートに従い実行される。  
図２１に示すように前記ＣＰＵ６９は、設定変更スイッチの押下操作による設定変更指示が有るか否かを判断する（ステップＳ２１）。
【００９６】
設定変更指示がない場合、前記ＣＰＵ６９はＳ２１に戻り、設定変更指示が入力されるまで待つ。設定変更指示が有る場合、前記ＣＰＵ６９は、設定変更モードに移行し設定変更ルーチンに入る（ステップＳ２２）。  
使用者は、前記メイン操作パネル１４または前記サブ操作パネル１３の操作部６４に設けられている各種スイッチ類を操作して設定変更操作を行う。
【００９７】
次に前記ＣＰＵ６９は、使用者ＩＤの入力が有るか否かを判断する（ステップＳ２３）。使用者ＩＤの入力がない場合、前記ＣＰＵ６９はＳ２２に戻り、使用者ＩＤが入力されるまで設定変更ルーチンの状態で待つ。使用者ＩＤの入力が有る場合、前記ＣＰＵ６９は、使用者による設定変更を確定する。  
これにより、内視鏡洗滌消毒装置は、使用者ＩＤ入力が行われない限り、設定変更が実行されない。
【００９８】
なお、上記設定変更は、管理者のみが実行できるように構成してもよい。  
この管理者のみによる設定変更は、前記ＣＰＵ６９の制御により例えば図２２に示すフローチャートに従い実行される。
【００９９】
図２２に示すように前記ＣＰＵ６９は、設定変更スイッチの押下操作による設定変更指示が有るか否かを判断する（ステップＳ３１）。  
設定変更指示がない場合、前記ＣＰＵ６９はＳ３１に戻り、設定変更指示が入力されるまで待つ。設定変更指示が有る場合、前記ＣＰＵ６９は、管理者ＩＤの入力が有るか否かを判断する（ステップＳ３２）。
【０１００】
管理者ＩＤの入力がない場合、前記ＣＰＵ６９はＳ３２に戻り、管理者ＩＤが入力されるまで待つ。管理者ＩＤの入力が有る場合、前記ＣＰＵ６９は、管理者による設定変更モードに移行して設定変更ルーチンに入る。  
管理者は、前記メイン操作パネル１４または前記サブ操作パネル１３の操作部６４に設けられている各種スイッチ類を操作して設定変更操作を行う。
【０１０１】
管理者の設定変更が終了したら、前記ＣＰＵ６９は、管理者による設定変更を確定する。これにより、内視鏡洗滌消毒装置は、管理者ＩＤ入力が行われない限り、設定変更が実行されない、即ち、管理者のみが設定変更可能となる。  
なお、上述した各実施例等を部分的に組み合わせる等して構成される実施例等も本発明に属する。
【０１０２】
［付記］
以上詳述した本発明の実施形態によれば、以下のごとき構成を得ることができる。
【０１０３】
（付記項１）  
内視鏡を収納配置する槽部を備えた装置本体と、
前記装置本体に対して開閉可能に設け、前記槽部を覆う蓋部と、
前記装置本体を使用する使用者に関する使用者情報を記録する使用者情報記録部、及び前記内視鏡に取り付けてこの内視鏡に関する内視鏡情報を記録する内視鏡情報記録部に対して通信可能に、前記蓋部またはこの蓋部に覆われない前記装置本体の所望の部位に配設した送受信部と、
を具備したことを特徴とする内視鏡洗滌消毒装置。
【０１０４】
（付記項２）  
前記使用者情報記録部を取り付ける取り付け部を前記蓋部またはこの蓋部に覆われない前記装置本体の所望の部位に設けたことを特徴とする付記項１に記載の内視鏡洗滌消毒装置。
【０１０５】
（付記項３）  
前記送受信部を介して得た前記使用者情報記録部からの使用者情報と、前記内視鏡情報記録部からの内視鏡情報と、前記内視鏡の洗滌消毒情報と、を関連付けて記憶する記憶部を設けたことを特徴とする付記項１に記載の内視鏡洗滌消毒装置。
【０１０６】
（付記項４）  
内視鏡を配置可能な空間を形成する槽部と、
前記槽部を備えた装置本体と、
前記装置本体に設けた突き当て部に当接する当接部を備え、前記装置本体に対して開閉する蓋部と、
前記蓋部の開閉動作をして前記内視鏡を前記槽部に投入する操作者についての情報を備えたＩＤと、
前記当接部に設けられ、前記ＩＤを取り付けるためのＩＤ取り付け部と、
前記突き当て部に設けられ、前記蓋部が閉じたとき、前記ＩＤの情報を読み取るための読み取り部と、
を具備することを特徴とする内視鏡洗滌消毒装置。
【０１０７】
（付記項５）  
内視鏡を配置可能な空間を形成する槽部と、
前記槽部を備えた装置本体と、
前記装置本体に設けた突き当て部に当接する当接部を備え、前記装置本体に対して開閉する蓋部と、
前記蓋部の開閉動作をして前記内視鏡を前記槽部に投入する操作者についての情報を備えたＩＤと、
前記突き当て部に設けられ、前記ＩＤを取り付けるためのＩＤ取り付け部と、
前記当接部に設けられ、前記蓋部が閉じたとき、前記ＩＤの情報を読み取るための読み取り部と、
を具備することを特徴とする内視鏡洗滌消毒装置。
【０１０８】
（付記項６）  
医療器具を収納配置する槽部を備えた装置本体と、
前記装置本体に対して開閉可能に設け、前記槽部を覆う蓋部と、
前記蓋部の開閉を検知する開閉検知手段と、
前記装置本体の前記槽部に対して所定位置に前記医療器具が収納配置されたことを検知する医療器具検知手段と、
前記装置本体の使用者を認識する個人認識手段と、
前記開閉検知手段及び前記医療器具検知手段の検知結果に基づいて前記医療器具が前記槽部の所定位置に収納配置されて前記蓋部が閉じられるとともに、前記個人認識手段が前記装置本体の使用者を認識したとき、前記医療器具の洗滌または消毒または滅菌を開始する制御部と、
を具備したことを特徴とする洗滌消毒滅菌装置。
【０１０９】
（付記項７）  
前記個人認識手段は網膜または指紋または声紋の判別により個人を識別する生体識別手段であることを特徴とする付記項６に記載の洗滌消毒滅菌装置。
【０１１０】
（付記項８）  
前記個人認識手段はＩＤタグと、このＩＤタグと通信する送受信部であることを特徴とする付記項６に記載の洗滌消毒滅菌装置。
【０１１１】
（付記項９）  
前記個人認識手段を前記蓋部または前記開閉検知手段またはスタートスイッチに配設したことを特徴とする付記項６に記載の洗滌消毒滅菌装置。
【０１１２】
（付記項１０）  
前記認識手段の認識結果に基づき、洗滌または消毒または滅菌の設定変更を許可することを特徴とする付記項６に記載の洗滌消毒滅菌装置。
【０１１３】
（付記項１１）  
前記ＩＤタグを取り付ける取り付け部を有し、この取り付け部を前記蓋部または前記装置本体に配設したことを特徴とする付記項７に記載の洗滌消毒滅菌装置。
【０１１４】
（付記項１２）  
医療器具を洗滌または消毒または滅菌する洗滌消毒滅菌装置において、
装置を動作させるオペレータを識別する識別手段と、
前記識別手段と接続され、装置の動作を管理する制御部と、
前記識別手段がオペレータを識別すると、前記制御部が自動で工程を開始することを特徴とする洗滌消毒滅菌装置。
【０１１５】
（付記項１３）  
前記識別手段は、網膜、指紋、声紋判別等の生体識別手段であることを特徴とする付記項１２に記載の洗滌消毒滅菌装置
（付記項１４）  
前記識別手段が、ＲＦＩＤ、磁気カード、ＩＣカード等のＩＤタグと通信する送受信部であることを特徴とする付記項１２に記載の洗滌消毒滅菌装置。
【０１１６】
（付記項１５）  
医療器具を洗滌または消毒または滅菌する洗滌消毒滅菌装置において、
前記医療器具を設置する槽と、
前記医療器具を設置可能とし、閉時には槽内を外界と隔離する扉と、
装置を動作させるオペレータを非接触にて識別する非接触識別手段と、
前記非接触識別手段に記憶された情報を読み出す読み出し手段と、
前記扉は前記非接触識別手段を固定できる固定手段を有し、
前記扉を閉めた状態にて前記扉に固定した非接触識別手段から情報を読み出す位置に前記読み出し手段を設置し、
前記扉を閉める過程において、装置を操作するオペレータの情報を装置に入力することを特徴とした洗滌消毒滅菌装置。
【０１１７】
（付記項１６）  
医療器具を洗滌または消毒または滅菌する洗滌消毒滅菌装置において、
オペレータを識別する識別手段と、
を具備し、前記識別手段の識別結果が入力されないと、装置の動作設定を変更できないようにしたことを特徴とする洗滌消毒滅菌装置。
【産業上の利用可能性】
【０１１８】
本発明の内視鏡洗滌消毒装置は、無線電波の減衰を防止し、移動する煩雑さや混乱をなくして確実に洗滌消毒に関する情報を得ることができるので、トレーサビリティ(来歴管理)に適している。
【図面の簡単な説明】
【０１１９】
【図１】実施例１の内視鏡洗滌消毒装置の斜視図である。
【図２】図１のトップカバーが開けられ、洗滌消毒槽に内視鏡が収納自在な状態である内視鏡洗滌消毒装置の斜視図である。
【図３】内視鏡洗滌消毒装置の回路構成を示すブロック図である。
【図４】ＲＦＩＤタグの回路構成を示すブロック図である。
【図５】図１の内視鏡洗滌消毒装置における無線通信範囲を示す斜視図である。
【図６】図５の洗滌消毒槽に内視鏡を収納配置した内視鏡洗滌消毒装置の上面図である。
【図７】図３のＣＰＵの制御を示すフローチャートである。
【図８】ＬＡＮケーブルを介して院内ネットワークに接続した内視鏡洗滌消毒装置を示す説明図である。
【図９】装置本体に使用者ＩＤタグを取り付ける取り付け部を示す斜視図である。
【図１０】図９の取り付け部に使用者ＩＤタグを差し込んだ際の側面図である。
【図１１】変形例の内視鏡洗滌消毒装置の斜視図である。
【図１２】図１１の内視鏡洗滌消毒装置における無線通信範囲を示す斜視図である。
【図１３】図１２の洗滌消毒槽に内視鏡を収納配置した内視鏡洗滌消毒装置の上面図である。
【図１４】実施例２の内視鏡洗滌消毒装置の斜視図である。
【図１５】図１４の内視鏡洗滌消毒装置における無線通信範囲を示す斜視図である。
【図１６】図１５の無線通信範囲を示す洗滌消毒槽及びトップカバーの概略断面図である。
【図１７】図１６の変形例を示す洗滌消毒槽及びトップカバーの概略断面図である。
【図１８】図１４の変形例を示す内視鏡洗滌消毒装置の斜視図である。
【図１９】図１８の内視鏡洗滌消毒装置における無線通信範囲を示す斜視図である。
【図２０】図１９の無線通信範囲を示す洗滌消毒槽及びトップカバーの概略断面図である。
【図２１】設定変更におけるＣＰＵの制御を示すフローチャートである。
【図２２】管理者のみによる設定変更のＣＰＵの制御を示すフローチャートである。
【符号の説明】
【０１２０】
１  内視鏡洗滌消毒装置
２  装置本体
３  トップカバー
４  ラッチ部
４ａ  ラッチ突部
１０  内視鏡
１３  サブ操作パネル
１４  メイン操作パネル
１６  ペダルスイッチ
２０  洗滌消毒槽
４２  リミットセンサ
６９  ＣＰＵ
７３  メモリ
８１  無線ＩＤ送受信部
８２  スコープＩＤタグ
８３  使用者ＩＤタグ
８４ａ  メモリ
８４ｂ  演算部
８４ｃ  通信部
８５  無線通信範囲
代理人    弁理士    伊藤  進
【図１】
2006230491.tif 000003
【図２】
2006230491.tif 000004
【図３】
2006230491.tif 000005
【図４】
2006230491.tif 000006
【図５】
2006230491.tif 000007
【図６】
2006230491.tif 000008
【図７】
2006230491.tif 000009
【図８】
2006230491.tif 000010
【図９】
2006230491.tif 000011
【図１０】
2006230491.tif 000012
【図１１】
2006230491.tif 000013
【図１２】
2006230491.tif 000014
【図１３】
2006230491.tif 000015
【図１４】
2006230491.tif 000016
【図１５】
2006230491.tif 000017
【図１６】
2006230491.tif 000018
【図１７】
2006230491.tif 000019
【図１８】
2006230491.tif 000020
【図１９】
2006230491.tif 000021
【図２０】
2006230491.tif 000022
【図２１】
2006230491.tif 000023
【図２２】
2006230491.tif 000024